(57)【要約】【課題】製作が容易で、また天板に降った雨水を確実に排水溝へ排出できるケーシングを提供する。【解決手段】略矩形の台座７上の左右に、一対の門形のフレーム８が設けられる。各フレーム８は、前後の縦枠１４の上端部同士を上枠１５で接続して構成される。一対のフレーム８間には、天板３が設けられる。上枠１５には、天板３からの水を前後方向外側へ導く排水溝１６が上方へ開口して形成されている。前後の縦枠１４には、上枠１５の排水溝１６からの水を下方へ導く排水溝１７が形成されている。左右に側面カバー４、後方に背面カバー５、前方に扉６が設けられる。【選択図】図２
2014185821.tif 000002
【特許請求の範囲】
【請求項１】
一対の縦枠の上端部同士を上枠で接続した門形のフレームを一対と、その一対のフレーム間に設けられる天板とを備え、
前記上枠には、前記天板からの水を前記上枠の長手方向外側へ導く排水溝が上方へ開口して形成されており、
前記縦枠には、前記上枠の排水溝からの水を下方へ導く排水溝が形成されている
ことを特徴とするケーシング。
【請求項２】
前記一対の門形のフレームは、略矩形の台座上の左右に設けられ、
前記左右のフレームは、前方の縦枠間の上部、および後方の縦枠間の上部に、それぞれ設けられた横枠で互いに接続されており、
前記左右の上枠には、上方への突部が前後方向へ沿って形成され、その突部より左右方向外側に排水溝が形成されており、
前記左右の上枠の突部間に、前記天板が設けられる
ことを特徴とする請求項１に記載のケーシング。
【請求項３】
前記左右の上枠の排水溝は、上方へ開口した断面略コ字形状部の溝とされ、
前記前後の縦枠の排水溝は、前後方向外側へ開口した断面略コ字形状部の溝とされ、
前記各略コ字形状部の溝は、その溝の底面を構成する中央片と、これと垂直に設けられる端片とにより形成され、
前記上枠と前記縦枠とは、前記各排水溝を構成する前記中央片の端部同士が接続されると共に、左右方向外側の前記端片の端部同士が接続され、且つこの端片には、前記中央片からの延出先端部に、左右方向内側への延出片が設けられており、
前記上枠と前記縦枠との延出片に、側面カバーがはめ込まれて取付可能である
ことを特徴とする請求項２に記載のケーシング。
【請求項４】
前記左右のフレームの前方の縦枠間に、扉が開閉可能に設けられ、
前記左右のフレームの後方の縦枠間は、背面カバーで閉じられ、
前記天板の前端部と前記扉の上端部との隙間、および前記天板の後端部と前記背面カバーの上端部との隙間から進入した水を、左右方向外側へ導く排水溝が前記横枠に設けられている
ことを特徴とする請求項３に記載のケーシング。
【請求項５】
前記台座と、その左右に設けられる前記一対のフレームと、そのフレームの前後において縦枠間を接続する前記横枠とから構成されるケーシング枠を複数備え、
これらケーシング枠同士は、左右に接続され、
前記ケーシング枠同士の接続部となる側面には、前記側面カバーを設けず、連接された前記ケーシング枠群の左右方向外側端部の側面に、前記側面カバーを設け、
前記各ケーシング枠は、上面に前記天板が設けられ、背面が前記背面カバーで閉じられ、正面が前記扉で開閉可能とされる
ことを特徴とする請求項４に記載のケーシング。
【請求項６】
前記ケーシング枠同士の接続部には、隣接する前記ケーシング枠間において、前記上枠の延出片同士を架け渡す上パネル、前方の前記縦枠の延出片同士を架け渡す前パネル、および後方の前記縦枠の延出片同士を架け渡す後パネルが設けられる
ことを特徴とする請求項５に記載のケーシング。
【発明の詳細な説明】
【技術分野】
【０００１】
本発明は、各種装置やタンクなどのケーシングに関するものである。
【背景技術】
【０００２】
従来、下記特許文献１に開示されるように、前パネル（１０３）と側板パネル（１０１，１０２）との突き合わせ部や、背面パネル（１０４）と側板パネル（１０１，１０２）との突き合わせ部に、上下方向へ沿って凹状の溝部（１６０）を設けると共に、この溝部（１６０）へ雨水を導く凹状通路（２０１）を天板（２００）に形成した屋外設置用ケーシングが知られている。
【先行技術文献】
【特許文献】
【０００３】
【特許文献１】特開２０１１−２１４７２６号公報（段落００１５−００２２、図１、図２）
【発明の概要】
【発明が解決しようとする課題】
【０００４】
しかしながら、従来構造では、天板や側板パネルなどに、雨水排出用の凹状部を形成するための加工が必要であるし、前後のパネルと左右のパネルとの組立時、凹状部を構成する必要もある。また、前面に凹状部を設置する関係で、扉を設けることもできない。さらに、天板の外周部よりも内側に凹状部を形成するのでは、外周部に降った雨水が側壁を伝って流れるおそれも残る。その上、複数のケーシングを連結させて使用することもできない。
【０００５】
そこで、本発明が解決しようとする課題は、製作が容易で、また天板に降った雨水を確実に排水溝へ排出できるケーシングを提供することにある。さらに、必要に応じて、扉を設置したり、複数連結したりすることもできるケーシングを提供することを課題とする。
【課題を解決するための手段】
【０００６】
本発明は、前記課題を解決するためになされたもので、請求項１に記載の発明は、一対の縦枠の上端部同士を上枠で接続した門形のフレームを一対と、その一対のフレーム間に設けられる天板とを備え、前記上枠には、前記天板からの水を前記上枠の長手方向外側へ導く排水溝が上方へ開口して形成されており、前記縦枠には、前記上枠の排水溝からの水を下方へ導く排水溝が形成されていることを特徴とするケーシングである。
【０００７】
請求項１に記載の発明によれば、門形のフレーム間に天板を備えて構成され、天板に降った雨水を、フレームの上枠の排水溝から、縦枠の排水溝を介して排水することができる。フレームに排水溝を設けることで、製作が容易となる。
【０００８】
請求項２に記載の発明は、前記一対の門形のフレームは、略矩形の台座上の左右に設けられ、前記左右のフレームは、前方の縦枠間の上部、および後方の縦枠間の上部に、それぞれ設けられた横枠で互いに接続されており、前記左右の上枠には、上方への突部が前後方向へ沿って形成され、その突部より左右方向外側に排水溝が形成されており、前記左右の上枠の突部間に、前記天板が設けられることを特徴とする請求項１に記載のケーシングである。
【０００９】
請求項２に記載の発明によれば、台座と、その左右に設けられる一対のフレームと、そのフレームの前後において縦枠間を接続する横枠とを備えるので、強度が確保されると共に、取扱いが容易となる。そして、左右の上枠には、ケーシングの左右方向内側に上方への突部が設けられる一方、左右方向外側に排水溝が形成され、前記突部間に天板が設けられる。よって、天板から左右へ流れる雨水は、すべて確実に上枠の排水溝を介して排水することができる。
【００１０】
請求項３に記載の発明は、前記左右の上枠の排水溝は、上方へ開口した断面略コ字形状部の溝とされ、前記前後の縦枠の排水溝は、前後方向外側へ開口した断面略コ字形状部の溝とされ、前記各略コ字形状部の溝は、その溝の底面を構成する中央片と、これと垂直に設けられる端片とにより形成され、前記上枠と前記縦枠とは、前記各排水溝を構成する前記中央片の端部同士が接続されると共に、左右方向外側の前記端片の端部同士が接続され、且つこの端片には、前記中央片からの延出先端部に、左右方向内側への延出片が設けられており、前記上枠と前記縦枠との延出片に、側面カバーがはめ込まれて取付可能であることを特徴とする請求項２に記載のケーシングである。
【００１１】
請求項３に記載の発明によれば、上枠や縦枠の各排水溝は、互いに連通する断面略コ字形状部の溝とされるので、構成が簡易であると共に、排水を円滑に行える。また、ケーシングの左右方向外側には、排水溝の端片と延出片とにより、側面カバーの被はめ込み部が形成されるので、側面カバーを容易に且つ確実に取り付けることができる。
【００１２】
請求項４に記載の発明は、前記左右のフレームの前方の縦枠間に、扉が開閉可能に設けられ、前記左右のフレームの後方の縦枠間は、背面カバーで閉じられ、前記天板の前端部と前記扉の上端部との隙間、および前記天板の後端部と前記背面カバーの上端部との隙間から進入した水を、左右方向外側へ導く排水溝が前記横枠に設けられていることを特徴とする請求項３に記載のケーシングである。
【００１３】
請求項４に記載の発明によれば、扉で開閉可能な中空ボックス状のケーシングを構成することができる。また、天板と扉との隙間や、天板と背面カバーとの隙間からの雨水を、外部へ排水することもできる。
【００１４】
請求項５に記載の発明は、前記台座と、その左右に設けられる前記一対のフレームと、そのフレームの前後において縦枠間を接続する前記横枠とから構成されるケーシング枠を複数備え、これらケーシング枠同士は、左右に接続され、前記ケーシング枠同士の接続部となる側面には、前記側面カバーを設けず、連接された前記ケーシング枠群の左右方向外側端部の側面に、前記側面カバーを設け、前記各ケーシング枠は、上面に前記天板が設けられ、背面が前記背面カバーで閉じられ、正面が前記扉で開閉可能とされることを特徴とする請求項４に記載のケーシングである。
【００１５】
請求項５に記載の発明によれば、複数のケーシング枠を接続して使用することができる。その際、ケーシング枠同士の接続部は、塞がれることなく連通されているので、内部機器のメンテナンスが容易となる。
【００１６】
さらに、請求項６に記載の発明は、前記ケーシング枠同士の接続部には、隣接する前記ケーシング枠間において、前記上枠の延出片同士を架け渡す上パネル、前方の前記縦枠の延出片同士を架け渡す前パネル、および後方の前記縦枠の延出片同士を架け渡す後パネルが設けられることを特徴とする請求項５に記載のケーシングである。
【００１７】
請求項６に記載の発明によれば、ケーシング枠同士の接続部は、上および前後において、それぞれパネルで覆われるので、ケーシング枠間の隙間から内部への雨水の進入を防止することができる。しかも、上および前後のパネルは、隣接するケーシング枠の延出片同士を架け渡すので、排水溝を介した排水に影響を与えない。
【発明の効果】
【００１８】
本発明によれば、製作が容易で、また天板に降った雨水を確実に排水溝へ排出することができる。さらに、必要に応じて、扉を設置したり、複数連結したりすることも可能となる。
【図面の簡単な説明】
【００１９】
【図１】本発明のケーシングの一実施例を示す概略斜視図である。
【図２】図１のケーシングの分解斜視図である。
【図３】図１のケーシングのケーシング枠を示す概略斜視図であり、一部を切り欠いて省略して示している。
【図４】図３のケーシング枠の平面図である。
【図５】図３のケーシング枠を左右に接続して使用した状態を示す概略斜視図である。
【発明を実施するための形態】
【００２０】
以下、本発明の具体的実施例を図面に基づいて詳細に説明する。
図１および図２は、本発明のケーシング１の一実施例を示す概略図であり、図１は組立状態の斜視図、図２は分解斜視図である。
【００２１】
本実施例のケーシング１は、その用途を特に問わず、言い換えれば、収容物を特に問わず、設置場所も問わない。但し、好適には、屋外に設置される各種装置やタンクなどのケーシングとされる。つまり、好適には、屋外設置用ケーシングとされ、たとえば、温水製造用のヒートポンプ、空気調和機の室外機、または貯水タンクのケーシングとして用いられる。
【００２２】
ケーシング１は、略矩形のボックス状の枠組みを構成するケーシング枠２と、その上面に設けられる天板３、左右側面に設けられる側面カバー４，４、背面に設けられる背面カバー５、および正面に設けられる扉６を備える。
【００２３】
図３および図４は、本実施例のケーシング枠２を示す概略図であり、図３は、一部を切り欠いて省略して示す斜視図、図４は、平面図である。
【００２４】
本実施例のケーシング枠２は、略矩形の台座７と、その台座７上の左右に設けられる一対の門形のフレーム８，８と、その左右のフレーム８同士を接続する前後の横枠９，１０とを備える。
【００２５】
台座７は、左右の下枠１１，１１と、前後の下枠１２，１２とにより、略矩形に形成されている。左右の下枠１１は、前後方向へ沿って配置され、前後の下枠１２は、左右方向へ沿って配置される。そして、左右の下枠１１の前端部同士が、前方の下枠１２の左右両端部に接続される一方、左右の下枠１１の後端部同士が、後方の下枠１２の左右両端部に接続される。また、このようにして形成される略矩形の枠内に、適宜の部材１３が架け渡すよう設けられ、強度の確保が図られると共に、前記装置やタンクなどの載置部とされる。
【００２６】
左右のフレーム８は、それぞれ、前後一対の縦枠１４の上端部同士を上枠１５で接続した門形に形成され、各縦枠１４の下端部が台座７に固定される。前方の縦枠１４は、台座７の前方の角部に立設され、後方の縦枠１４は、台座７の後方の角部に立設される。左右のフレーム８の上枠１５間には天板３が設けられるが、上枠１５には、天板３からの水を前後方向外側へ導く排水溝１６が上方へ開口して形成されている。また、縦枠１４には、上枠１５の排水溝１６からの水を下方へ導く排水溝１７が形成されている。
【００２７】
なお、台座７を構成する下枠１１，１２、フレーム８を構成する縦枠１４や上枠１５、およびフレーム８間を接続する横枠９，１０は、本実施例では形材により形成される。また、典型的には、左右の下枠１１同士は左右対称、前後の下枠１２同士は前後対称、前後の縦枠１４同士は前後対称、前後の横枠９，１０同士は前後対称の断面に形成される。
【００２８】
前後の各縦枠１４は、ケーシング枠２の前後方向外側へ開口するように、断面略コ字形状に形成される。つまり、前方の縦枠１４は、前方へ開口する断面略コ字形状に形成され、後方の縦枠１４は、後方へ開口する断面略コ字形状に形成される。具体的には、前後の各縦枠１４は、横断面で見た場合、左右方向に沿う中央片１８の左右両端部に、ケーシング枠２の前後方向外側へ延出して端片１９，２０が連接されている。その際、ケーシング枠２の左右方向内側に配置される端片２０は、左右方向外側に配置される端片１９よりも、前後方向外側へ延出して形成されている。さらに、各端片１９，２０には、中央片１８からの延出先端部（つまりケーシング枠２の前後方向外側端部）に、それぞれ、その縦枠１４の左右方向内側への延出片２１，２２が連接されている。
【００２９】
このようにして、各縦枠１４には、排水溝１７が形成される。つまり、中央片１８とその左右の端片１９，２０とによる略コ字形状部の溝が、上枠１５の排水溝１６からの水を下方へ導く排水溝（第一排水溝）１７とされる。また、ケーシング枠２の左右方向内側に配置される端片２０と、その前後に配置される延出片２２および中央片１８とによる略コ字形状部の溝が、後述する横枠９，１０の排水溝４６からの水を下方へ導く排水溝（第二排水溝）１７´とされる。但し、上枠１５からの水を下方へ排出する第一排水溝１７と、横枠９からの水を下方へ排出する第二排水溝１７´とは、厳密に区別される訳ではなく、縦枠１４を構成する各片１８〜２２で囲まれた空間が排水溝１７，１７´として機能する。
【００３０】
左右の各上枠１５は、ケーシング枠２の左右方向内側に、上方への突部２３が前後方向へ沿って形成され、ケーシング枠２の左右方向外側に、排水溝１６が前後方向へ沿って形成される。つまり、左の上枠１５は、右側に突部２３を、左側に排水溝１６を形成され、右側の上枠１５は、左側に突部２３を、右側に排水溝１６を形成される。具体的には、左右の各上枠１５は、縦断面で見た場合、左右方向に沿う中央片２４の左右両端部に、上方へ延出して端片２５，２６が連接されることで、上方へ開口する断面略コ字形状部を備えている。その際、ケーシング枠２の左右方向内側に配置される端片２６は、左右方向外側に配置される端片２５よりも、上方へ延出して形成されており、その上端部は、ケーシング枠２の左右方向内側へ延出した後、下方へ折り返されることで、上方への突部２３が形成されている。一方、ケーシング枠２の左右方向外側に配置される端片２５には、中央片２４からの延出先端部（つまり上端部）に、ケーシング枠２の左右方向内側への延出片２７が連接されている。この延出片２７は、突部２３側の端片２６にまで達しない寸法とされ、排水溝１６は前後方向全域において上方へ開口される。この延出片２７の幅寸法は、前後の縦枠１４の延出片２１の幅寸法と対応している。
【００３１】
このようにして、上枠１５には、排水溝１６が形成される。つまり、中央片２４とその左右の端片２５，２６とによる上向きの略コ字形状部の溝が、排水溝１６とされる。一方、この排水溝１６と隣接して、下向きの略コ字形状部が、突部２３とされる。この突部２３の前後両端部は板材２８で塞がれる。なお、上枠１５の左右方向幅寸法は、縦枠１４の左右方向幅寸法と対応しており、ケーシング枠２の左右方向外側において、上枠１５と前後の縦枠１４の各端片２５，１９は同一平面に配置される。
【００３２】
上枠１５と前後の縦枠１４とは、互いの排水溝１６，１７を接続するように、上枠１５の前後両端部と縦枠１４の上端部とが、溶接される。本実施例では、前後の縦枠１４の中央片１８の上端部は、幅方向略半分（左縦枠では略左半分、右縦枠では略右半分）が、上枠１５の中央片２４の前後両端部に隙間なく接続され、幅方向残り半分（左縦枠では略右半分、右縦枠では略左半分）が、突部２３の前後両端部を閉塞する板材２８に隙間なく接続される。さらに、上枠１５と前後の縦枠１４とは、ケーシング枠２の左右方向外側の端片２５，１９同士が隙間なく連続的に接続され、さらにその端片２５，１９に設けた延出片２７，２１同士も隙間なく連続的に接続される。この端片２５，１９および延出片２７，２１により、側面カバー４の被はめ込み部が構成される。
【００３３】
なお、上枠１５と前後の縦枠１４との接続部は、所望により円弧状に接続してもよく、特に、図示例のように端片２５，１９や延出片２７，２１については、円弧状に接続するのが好ましい。また、図３の下部から分かるように、左右の門形のフレーム８は、左右方向内側（上枠１５の突部２３と対応した箇所）が台座７上に配置され、左右方向外側が台座７から突出して配置される。
【００３４】
左右の門形のフレーム８は、前方の縦枠１４間の上部、および後方の縦枠１４間の上部に、それぞれ横枠９，１０が設けられて、互いに接続される。各横枠９，１０は、本実施例では、断面略コ字形状材から形成され、その開口部を下方へ向けて配置される。そして、左右両端部が、左右の縦枠１４（より詳細にはケーシング枠２の左右方向内側の端片２０）に接続される。
【００３５】
横枠９，１０には、所望により、排水溝４６が設けられる。本実施例では、前方の横材９の前面、および後方の横材１０の後面に、それぞれ排水溝４６を形成する水路材２９が設けられる。この水路材２９は、下端部が上向きの略コ字形状に形成されることで、排水溝４６が形成されている。水路材２９の排水溝４６は、左右方向へ沿って配置され、左右両端部の開口部が、左右の縦枠１４の第二排水溝１７´に開口している。
【００３６】
天板３は、略矩形の板状であり、より詳細には本実施例では、下方へのみ開口する浅い箱状に形成されている。天板３は、左右両端部が左右の上枠１５の突部２３にはめ込まれて設けられる。この際、天板３の左右の側壁３０が、左右の突部２３の側壁（端片２６）に重ね合わされる。従って、天板３の取付状態においても、上枠１５の排水溝１６は上方へ開口して露出する。そして、天板３の四隅において、天板３の上壁と突部２３の上壁との間をボルト３１で固定する。なお、天板３の取付状態において、前後の排水溝４６は、天板３よりやや下方に配置される。
【００３７】
ところで、図示例の場合、天板３の前後両端部は、前後方向外側へ行くに従って下方へ傾斜する円弧状に形成されている。さらに、所望により、天板３の左右両端部は、左右方向外側へ行くに従って下方へ傾斜して形成されてもよい。
【００３８】
側面カバー４は、略矩形の板状であり、より詳細には本実施例では、ケーシング枠２の左右方向内側へ開口する浅い箱状に形成されている。側面カバー４は、その開口部が、上枠１５および前後の縦枠１４の端片２５，１９および延出片２７，２１により形成された被はめ込み部にはめ込まれる。この際、側面カバー４は、前後の端壁３２が、前後の縦枠１４の延出片２１に重ね合わされ、上方の端壁３３が、上枠１５の延出片２７に重ね合わされる。また、側面カバー４の前後および上方の端壁３２，３３の幅寸法（内寸）は、前後の縦枠１４および上枠１５の延出片２１，２７の幅寸法とほぼ対応しており、側面カバー４の取付状態においても、少なくとも上枠１５の排水溝１６は上方へ開口して露出する。さらに、側面カバー４は、下方の端壁３４に、下方へのツバ部３５が形成されており、そのツバ部３５が台座７の側面に重ね合わされる。このようにして、左右のフレーム８に側面カバー４をはめ込んだ状態で、上方の端壁３３と上枠１５の延出片２７との間をボルト３６で固定すると共に、下方のツバ部３５と台座７の側壁との間をボルト３７で固定する。このように、側面カバー４は、被はめ込み部への着脱が容易であるから、ケーシング１内のメンテナンスは、所望により側面カバー４を取り外して行うこともできる。
【００３９】
背面カバー５は、略矩形の板材であり、より詳細には本実施例では、左右両端部に前方への屈曲片３８が連接された板材である。背面カバー５は、ケーシング枠２の背面を塞ぐように配置される。背面カバー５は、その四隅において、ケーシング枠２の背面に、ボルト３９により固定される。
【００４０】
ケーシング枠２の正面には、扉６が開閉可能に設けられる。本実施例では、扉６は、右の縦枠１４に、ヒンジ４０により開閉可能に吊り下げられる。横枠９や縦枠１４などに沿ってパッキンを設けておくことで、扉６を閉じた際の隙間を埋めるようにしてもよい。なお、扉６には、取っ手４１が設けられる他、ケーシング１の用途に応じて、適宜の開口などが設けられる。図１では、液晶ディスプレイ（タッチスクリーン）４２や操作ボタン４３が、扉６面に操作部を配置して設けられている。
【００４１】
ケーシング１は、以上のような構成であるから、屋外に設置した場合でも、天板３に降った雨水を排水溝１６，１７から円滑に排水することができる。具体的には、門形の左右のフレーム８間に天板３を備えて構成されるので、天板３に降った雨水を、フレーム８の上枠１５の排水溝１６から、縦枠１４の排水溝１７を介して下方へ排水することができる。フレーム８を構成する上枠１５や縦枠１４に排水溝１６，１７を設けることで、製作が容易となる。さらに、所望により横枠９，１０にも排水溝４６を設けておけば、天板３と扉６との隙間や、天板３と背面カバー５との隙間からの雨水を、横枠９，１０の排水溝４６から、縦枠１４の第二排水溝１７´を介して下方へ排水することができる。
【００４２】
なお、側面カバー４の下端部には、適宜の排水穴を設けておいてもよい。たとえば、側面カバー４の下端壁に３４、前後方向へ沿って矩形状の排水穴を形成しておいてもよい。その場合、万一、ケーシング１内に水が進入し、その水が側面カバー４の内側を伝って流れても、排水穴から外部へ排水することができる。
【００４３】
また、同様に、台座７には、適宜の排水穴を設けておいてもよい。たとえば、台座７の前後における左右両端部に、左右方向外側および下方へ開口して排水穴を形成しておけばよい。その場合、万一、ケーシング１内に水が進入しても、ケーシング１内に水が溜まるのを防止することができる。
【００４４】
図５は、前記実施例のケーシング枠２を左右に接続して使用した状態を示す概略斜視図である。この図に示すように、ケーシング枠２は、左右に複数接続して使用することもできる。図示例では、三つのケーシング枠２を接続しているが、二つでもよいし、四つ以上を接続することもできる。
【００４５】
ケーシング枠２は、左右に接続されるが、その際、隣接するケーシング枠２を突き合わせてもよい（つまり当接して配置してもよい）し、設定距離だけ離した状態で配置しつつ後述する各パネルにより接続してもよい。たとえば、隣接するケーシング枠２は、フレーム８の端片１９，２５同士を突き合わせて配置し、ボルトにより互いに連結される。
【００４６】
そして、ケーシング枠２同士の接続部には、隣接するケーシング枠２間において、上枠１５の延出片２７同士を架け渡す上パネル４４、台座７同士を架け渡す下パネル（図示省略）、前方の縦枠１４の延出片２１同士を架け渡す前パネル４５、および後方の縦枠１４の延出片２１同士を架け渡す後パネル（図示省略）が設けられる。この際、上および前後のパネル４４，４５は、隣接するフレーム８の延出片２７，２１にはめ込まれてもよい。また、少なくとも上パネル４４は、前記実施例の側面カバー４の場合と同様に、上枠１５の排水溝１６の上部開口を塞ぐことない。なお、ケーシング枠２同士を突き合わせて配置する場合、下パネルの設置を場合により省略することができる。
【００４７】
このような構成の場合、ケーシング枠２同士の接続部は、少なくとも上および前後において、それぞれパネル４４，４５で覆われるので、ケーシング枠２間の隙間から内部への雨水の進入を防止することができる。しかも、上および前後のパネルは、隣接するケーシング枠２の延出片２１，２７同士を架け渡すので、排水溝１６，１７を介した排水に影響を与えない。
【００４８】
ケーシング枠２を左右に連結する場合、ケーシング枠２同士の接続部となる側面には、側面カバー４を設けない。その代わりに、連接されたケーシング枠２群の左右方向外側端部の側面に、側面カバー４を設ける。また、各ケーシング枠２は、上面に天板３が設けられ、背面が背面カバー５で閉じられ、正面が扉６で開閉可能とされる。このような構成の場合、ケーシング枠２同士の接続部は、塞がれることなく連通されているので、内部機器のメンテナンスが容易となる。
【００４９】
本発明のケーシング１は、前記実施例の構成に限らず適宜変更可能である。特に、一対の縦枠１４の上端部同士を上枠１５で接続した門形のフレーム８を一対と、その一対のフレーム８間に設けられる天板３とを備え、上枠１５には、天板３からの水を上枠１５の長手方向外側へ導く排水溝１６が上方へ開口して形成されており、縦枠１４には、上枠１５の排水溝１６からの水を下方へ導く排水溝１７が形成されているのであれば、その他の構成は適宜に変更可能である。
【００５０】
たとえば、前後の縦枠１４の排水溝１７は、前後方向外側へ開口した断面略コ字形状部から形成したが、その開口部を外部から見えないように閉鎖してもよい。この際、縦枠１４の断面を略ロ字形状として、その中空部を排水溝１７として用いてもよい。
【００５１】
また、前記実施例において、上枠１５の排水溝１６は、前方および／または後方へ円滑に排水できるように、傾斜して形成しておいてもよい。同様に、横枠９，１０の排水溝４６は、左右両方または左右片方へ円滑に排水できるように、傾斜して形成しておいてもよい。さらに、縦枠１４の排水溝１７は、垂直ではなく、下方へ行くに従って前後方向外側へ行くように傾斜して形成されてもよい。その他、排水溝１６，１７，１７´，４６の断面形状も適宜に変更可能である。
【符号の説明】
【００５２】
１  ケーシング
２  ケーシング枠
３  天板
４  側面カバー
５  背面カバー
６  扉
７  台座
８  フレーム
９  （前方の）横枠
１０  （後方の）横枠
１４  縦枠
１５  上枠
１６  （上枠の）排水溝
１７  （縦枠の）排水溝
１８  （縦枠の）中央片
１９，２０  （縦枠の）端片
２１  （縦枠の）延出片
２３  突部
２４  （上枠の）中央片
２５，２６  （上枠の）端片
２７  （上枠の）延出片
２８  板材
２９  水路材
４４  上パネル
４５  前パネル
４６  （横枠の）排水溝
【図１】
2014185821.tif 000003
【図２】
2014185821.tif 000004
【図３】
2014185821.tif 000005
【図４】
2014185821.tif 000006
【図５】
2014185821.tif 000007